(57)【特許請求の範囲】
【請求項１】
トリム・カバーが、二分割され、その分割された一方のカバーが、二分割されたヘッドレストの一方の表面に巻きつけられるように被せられた構造であり、一端でその二分割されたヘッドレストの一方の接合面の外側端に、他端でその二分割されたヘッドレストの他方の接合面の内側端のそれぞれに連結された構造であり、そして、その分割された他方のカバーが、その二分割されたヘッドレストの他方の表面に巻きつけられるように被せられた構造であり、一端でその二分割されたヘッドレストの他方のその接合面の外側端に、他端で二分割されたヘッドレストのその一方のその接合面の内側端にそれぞれ連結された構造であり、前記トリム・カバーの表裏の色彩・模様を異にするところの着せ替え可能なトリム・カバー。
【発明の詳細な説明】
【技術分野】
【０００１】
この発明は、自動車シートのヘッドレスト、アームレスト、さらには、シート・バックなどに用いるところの着せ替え可能なトリム・カバーに関し、詳細には、トリム・カバーの表裏を活用し、別体のトリム・カバーを用意することなしにヒンジレスで二分割被覆体を開いて閉じるように回転させてそのトリム・カバーを表面から裏面に、また、その裏面からその表面に変え、そして、その二分割被覆体の表面の柄や素材を変化させるところの着せ替え可能なトリム・カバーに関する。
【背景技術】
【０００２】
自動車シートでは、例えば、ヘッドレストは表面の柄や素材を変える場合、別体のヘッドレスト・トリム・カバーが予め用意されて着せ替えられるのが一般的である。
そのように着せ替えには、ヘッドレスト・トリム・カバーがファスナーや別の留め具などで固定されるので、取外しが面倒で車種によってはフィットせずに後頭部に違和感を感じた。加えて、別体のために保管スペースが必要になった。
【先行技術文献】
【特許文献】
【０００３】
特開昭６３−５９９１２公報
特許第３３９８３８３号公報
【発明の概要】
【発明が解決しようとする課題】
【０００４】
この発明の課題は、別体のトリム・カバーを必要とせずにヘッドレスト、アームレスト、シート・バックなどの着せ替えを可能とし、そして、取り外す手間がかからずに簡単に着せ替えでき、乗員に当たる面の形状が変化されずに着せ替え前後で違和感がなく、さらには、そのヘッドレスト、アームレスト、シート・バックなどの表面の柄、素材を替えることで見た目だけでなく季節に合わせて触感の変化も可能になり、また、その別体のトリム・カバーを収納する保管スペースを省くところの着せ替え可能なトリム・カバーを提供するにある。
【課題を解決するための手段】
【０００５】
この発明の着せ替え可能なトリム・カバーは、トリム・カバーが、二分割され、その分割された一方のカバーが、二分割されたヘッドレストの一方の表面に巻きつけられるように被せられた構造であり、一端でその二分割されたヘッドレストの一方の接合面の外側端に、他端でその二分割されたヘッドレストの他方の接合面の内側端のそれぞれに連結された構造であり、そして、その分割された他方のカバーが、その二分割されたヘッドレストの他方の表面に巻きつけられるように被せられた構造であり、一端でその二分割されたヘッドレストの他方のその接合面の外側端に、他端で二分割されたヘッドレストのその一方のその接合面の内側端にそれぞれ連結された構造であり、前記トリム・カバーの表裏の色彩・模様を異にし、ヒンジレスで３６０度回転可能にさせて着せ替える。
【発明の効果】
【０００６】
この発明の着せ替えトリム・カバーでは、二分割されたヘッドレストにヒンジレスで３６０度回転が可能になって別体のトリム・カバーを必要とせずにヘッドレストの着せ替えが可能になり、その着せ替えが取り外す手間をかけずに簡単にでき、乗員に当たる面の形状が変化されずに着せ替え前後で違和感がなく、そして、そのヘッドレストの表面の柄、素材を変えることができて見た目だけでなく季節感に合わせて触感の変化も可能になり、また、その別体のトリム・カバーを収納する保管スペースが省かれる。
【図面の簡単な説明】
【０００７】
【図１】この発明の着せ替え可能なトリム・カバーの具体例を活用するところの乗用車のフロント・シートのヘッドレストを開いた状態で示した横断面図である。
【図２】その着せ替え可能なトリム・カバーをそのヘッドレストに着せ替える作業を示した斜視図である。
【発明を実施するための形態】
【０００８】
この発明の着せ替え可能なトリム・カバーは、トリム・カバーが、二分割され、その分割された一方のカバーが、二分割被覆体の一方の表面に巻き付けられるように被せられて一端でその二分割被覆体の一方の接合面の外側端に、他端でその二分割被覆体の他方の接合面の内側端にそれぞれ連結され、そして、その分割された他方のカバーが、その二分割被覆体の他方の表面に巻き付けられるように被せられて一端でその二分割被覆体の他方のその接合面の外側端に、他端で二分割被覆体のその一方のその接合面の内側端にそれぞれ連結され、そのようにその二分割被覆体のその一方のその外側端とその二分割被覆体のその他方のその内側端を、その二分割被覆体のその他方のその外側端とその二分割被覆体のその一方のその内側端をそのトリム・カバーで交互に連結させてヒンジレスで３６０度回転可能にさせてそのトリム・カバーの表裏を活用可能にすることによって着せ替え可能にする。
【実施例１】
【０００９】
以下、特定されて図示された具体例に基づいて、この発明の着せ替え可能なトリム・カバーを説明するに、図1および図２は、乗用車のフロント・シートに活用されるところの
この発明の着せ替えトリム・カバーの具体例１０を示し、そして、そのヘッドレスト２０は、ヘッドレスト・パッド２１が、前後方向においてハーフ・パッド２２、２３に二分割されてヘッドレスト・フレーム（図示せず）に支持され、そして、その着せ替えトリム・カバー１０が、二分割され、そのハーフ・パッド２２、２３の表面２４、２５に対応されて巻き付けるように被せられ、ヒンジレスで３６０度回転可能に連結され、表裏を活用することによって着せ替え可能にされる。
【００１０】
この着せ替え可能なトリム・カバー１０では、トリム・カバー１１が、巻き付け方向で二分割され、その分割された一方のカバー１２が、二分割被覆体としてのそのヘッドレスト・パッド２１のその一方のハーフ・パッド２２の表面２４に巻き付けられるように被せられて一端１４でその一方のハーフ・パッド２２の接合面２６の外側端２８に、他端１５でそのヘッドレスト・パッド２１のその他方のハーフ・パッド２３の接合面２７の内側端３１にそれぞれ連結され、そして、その分割された他方のカバー１３が、その二分割被覆体としてのそのヘッドレスト・パッド２１のその他方のハーフ・パッド２３の表面２５に巻き付けられるように被せられて一端１６でその他方のハーフ・パッド２３のその接合面２７の外側端３０に、他端１７でその一方のハーフ・パッド２２のその接合面２６の内側端２９にそれぞれ連結される。
【００１１】
そして、そのトリム・カバー１１には、チェック柄および無地の表裏一体の布が使われた。
また、そのヘッドレスト・パッド２１で、その一方のハーフ・パッド２２の外側とその他方のハーフ・パッド２３の内側を、そして、その他方のハーフ・パッド２３の外側とその一方のハーフ・パッド２２の内側をその両カバー１２、１３で交互に連結されてそのハーフ・パッド２２、２３がヒンジレスで３６０度回転可能にされている。
【００１２】
そのようにしてこのヘッドレスト２０では、その両ハーフ・パッド２２、２３が、図１に示されたように中央から開かれ、そして、その一方のハーフ・パッド２２の表面２４上
に沿ってその他方のハーフ・パッド２３の表面２５をころがしながら回転されると、そのトリム・カバー１１の表裏が逆になって柄および色彩が変化され、そして、そのヘッドレスト２０は簡単に着せ替えられる。
【００１３】
したがって、この着せ替えトリム・カバー１０では、その二分割ヘッドレスト・パッド２１にヒンジレスで３６０度回転が可能になって別体のトリム・カバーを必要とせずにそのヘッドレスト２０の着せ替えが可能になり、その着せ替えが取り外す手間をかけずに簡単にでき、乗員の後頭部に当たる面の形状が変化されずに着せ替え前後で違和感がなく、そして、そのヘッドレストの表面の柄、素材を替えることができて見た目だけでなく季節に合わせて触感の変化も可能になり、また、その別体のトリム・カバーを収納する保管スペースが省かれる。勿論、この着せ替えトリム・カバー１０は、アームレスト、シート・バックなどに合わせて用いることができる。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の着せ替え可能なトリム・カバーは、トリム・カバーが、二分割され、その分割された一方のカバーが、二分割被覆体の一方の表面に巻き付けられるように被せられて一端でその二分割被覆体の一方の接合面の外側端に、他端でその二分割被覆体の他方の接合面の内側端にそれぞれ連結され、そして、その分割された他方のカバーが、その二分割被覆体の他方の表面に巻き付けられるように被せられて一端でその二分割被覆体の他方のその接合面の外側端に、他端で二分割被覆体のその一方のその接合面の内側端にそれぞれ連結されるので、この発明の着せ替え可能なトリム・カバーでは、その二分割被覆体にヒンジレスで３６０度回転が可能になって別体のトリム・カバーを必要とせずにヘッドレスト、アームレスト、シート・バックなどの着せ替えが可能になり、その着せ替えが取り外す手間をかけずに簡単にでき、乗員に当たる面の形状が変化されずに着せ替え前後で違和感がなく、そして、そのヘッドレスト、アームレスト、シート・バックなどの表面の柄、素材を替えることができて見た目だけでなく季節感に合わせて触感の変化も可能になり、また、その別体のトリム・カバーを収納する保管スペースが省かれて経済的になり、その結果、自動車シートにとって非常に有用で実用的である。
【符号の説明】
【００１６】
１０  着せ替え可能なトリム・カバー
１１  トリム・カバー
１２  一方のカバー
１３  他方のカバー
１４  一端
１５  他端
１６  一端
１７  他端
２０  ヘッドレスト
２１  ヘッドレスト・パッド
２２  一方のハーフ・パッド
２３  他方のハーフ・パッド
２４  表面
２５  表面
２６  接合面
２７  接合面
２８  外側端
２９  内側端
３０  外側端
３１  内側端
【図１】
0005859237.tif 000002
【図２】
0005859237.tif 000003